(57)【特許請求の範囲】
【請求項１】
箱体と、
複数のバッグ保護体であって、
可撓性材料で製造されたバッグの底部を支持するように構成された底部パネルと、
２つの側部パネルであって、前記底部パネルから遠ざかるように前記底部パネルの２つの対向する縁部から延在し、前記バッグの開口部近辺で互いに接触するように略テーパ状の輪郭を形成するように構成された、側部パネルと、を有する、バッグ保護体と、
を備え、
前記箱体は、前記複数のバッグ保護体を含むように構成され、
前記２つの側部パネルは、十分な剛性を有する材料で製造され、互いに接触する２つの折り畳み部を各自含み、
前記折り畳み部は、前記側部パネルの残部と角度を形成するように構成された第１の折り部パネルと、前記第１の折り部パネルと角度を形成するように構成された第２の折り部パネルと、を備え、前記バッグの開口部近辺の前記側部パネルの一部と前記第１の折り部パネルと前記第２の折り部パネルとによって画定された空間を形成する、バッグ搬送システム。
【請求項２】
前記箱体および前記バッグ保護体は、前記複数のバッグ保護体のうちいくつかが、それらの各自の底部パネルを前記箱体の１つの表面に対面させて、前記箱体に含まれ、前記複数のバッグ保護体の残余が、それらの各自の底部パネルを前記箱体の前記１つの表面と対向した前記箱体の別の表面に対面させて、前記箱体内に含まれるように構成される、請求項１に記載のバッグ搬送システム。
【請求項３】
前記箱体および前記バッグ保護体は、前記複数のバッグ保護体が、それらの各自の底部パネルを前記箱体の２つの側壁表面に対面させて、前記箱体内に含まれるように構成される、請求項２に記載のバッグ搬送システム。
【請求項４】
前記箱体および前記バッグ保護体は、前記複数のバッグ保護体が、それらの各自の底部パネルを前記箱体の１つの表面に対面させて、前記箱体に含まれ、それによってそれらの間に複数の空間を形成し、それら各々がその中に複数のバッグを受け入れるための略テーパ状の輪郭を有するように構成される、請求項１に記載のバッグ搬送システム。
【請求項５】
前記側部パネルがそれらの最初の位置において、前記バッグの開口部近辺で互いに接触し、外部の力によって分離を強いられ、次いで前記外部の力が除去された後で、前記側部パネルが前記最初の位置に戻るように、前記バッグ保護体が弾性材料で製造される、請求項１に記載のバッグ搬送システム。
【請求項６】
前記バッグ保護体が、前記バッグの開口部近辺で互いに接触する２つの平坦なパネル部を含む、請求項１に記載のバッグ搬送システム。
【請求項７】
前記バッグ保護体が、前記側部パネル内で画定された１つ以上の切欠き部を含む、請求項１に記載のバッグ搬送システム。
【請求項８】
前記箱体が、前記箱体の２つの対向する縁部に沿って画定された複数の対の係止手段を含み、各対の係止手段が、前記箱体内で前記複数のバッグ保護体の１つを固定するように構成される、請求項１に記載のバッグ搬送システム。
【請求項９】
前記対の係止手段が、前記箱体の前記２つの対向する縁部の近辺で形成された一対の対向する凹部と、前記バッグ保護体上に提供され、かつ前記一対の対向する凹部内で受け入れられるように構成された一対の突起部とを備える、請求項８に記載のバッグ搬送システム。
【請求項１０】
前記箱体内で前記複数のバッグ保護体を固定するために各自構成された複数の係止手段をさらに備える、請求項１に記載のバッグ搬送システム。
【請求項１１】
前記箱体が、底部表面上に画定された１つ以上のへこみ部と、上部表面上に画定された１つ以上の嵌めあい突起部とを含む、請求項１に記載のバッグ搬送システム。
【請求項１２】
前記バッグ保護体が、ボール紙、プラスチック、プラスチック段ボール、段ボール、モールドパルプ、布、および金属からなる群から選択される材料で製造される、請求項１に記載のバッグ搬送システム。
【請求項１３】
箱体と、
複数のバッグ保護体であって、可撓性材料で製造されたバッグの底部を支持するように構成された底部パネルと、前記バッグの開口部近辺で互いに接触するように前記底部パネルと鋭角を形成しつつ前記底部パネルの２つの対向する縁部から延在するように構成された２つの側部パネルと、を有する、バッグ保護体と、を備え、
前記箱体が、その中に前記複数のバッグ保護体を含むように構成され、
前記２つの側部パネルは、十分な剛性を有する材料で製造され、互いに接触する２つの折り畳み部を各自含み、
前記折り畳み部は、前記側部パネルの残部と角度を形成するように構成された第１の折り部パネルと、前記第１の折り部パネルと角度を形成するように構成された第２の折り部パネルと、を備え、前記バッグの開口部近辺の前記側部パネルの一部と前記第１の折り部パネルと前記第２の折り部パネルとによって画定された空間を形成する、バッグ搬送システム。
【請求項１４】
十分な剛性を有する材料で製造され、かつ可撓性材料で製造されたバッグの底部を支持するために構成された底部パネルと、
２つの側部パネルであって、十分な剛性を有する材料で製造され、前記底部パネルから遠ざかるように２つの対向する前記底部パネルの縁部から延在し、前記バッグの開口部近辺で互いに接触するように略テーパ状の輪郭を形成するように構成された、側部パネルと、を備え、
前記２つの側部パネルが、互いに接触する２つの折り畳み部を各自含み、
前記折り畳み部は、前記側部パネルの残部と角度を形成するように構成された第１の折り部パネルと、前記第１の折り部パネルと角度を形成するように構成された第２の折り部パネルと、を備え、前記バッグの開口部近辺の前記側部パネルの一部と前記第１の折り部パネルと前記第２の折り部パネルとによって画定された空間を形成する、バッグ保護体。
【請求項１５】
前記折り畳み部が、ある角度で前記側部パネルの残部から延在するように構成された平坦なパネル部を備える、請求項１４に記載のバッグ保護体。
【請求項１６】
十分な剛性を有する材料で製造され、かつ可撓性材料で製造されたバッグの底部を支持するために構成された底部パネルと、
２つの側部パネルであって、十分な剛性を有する材料で製造され、前記底部パネルから遠ざかるように２つの対向する前記底部パネルの縁部から延在し、前記バッグの開口部近辺で互いに接触するように略テーパ状の輪郭を形成するように構成された、側部パネルと、を備え、
前記２つの側部パネルは、互いに接触する２つの折り畳み部を各自含み、
前記折り畳み部は、前記側部パネルの残部と角度を形成するように構成された第１の折り部パネルと、前記第１の折り部パネルと角度を形成するように構成された第２の折り部パネルと、を備え、前記バッグの開口部近辺の前記側部パネルの一部と前記第１の折り部パネルと前記第２の折り部パネルとによって画定された空間を形成する、バッグ保護体であって、
前記側部パネルがそれらの最初の位置で前記バッグの開口部近辺で互いに接触し、外部の力によって分離を強いられ、かつ前記外部の力が除去された後で、前記側部パネルが前記最初の位置に戻るように、前記バッグ保護体が弾性材料で製造された、バッグ保護体。
【請求項１７】
前記弾性材料が、プラスチック、プラスチック段ボール、および金属からなる群から選択される、請求項１６に記載のバッグ保護体。
【請求項１８】
可撓性材料で製造された複数のバッグを複数のバッグ保護体内に各自配置することであって、各バッグ保護体は各バッグの底部を支持するように構成された底部パネルを有し、前記バッグ保護体は、前記底部パネルの２つの対向する縁部から延在して、前記バッグの２つの対向する側部表面をカバーしかつ前記バッグの開口部近辺で互いに接触するように構成された、２つの側部パネルをさらに備え、
前記２つの側部パネルは、十分な剛性を有する材料で製造され、互いに接触する２つの折り畳み部を各自含み、
前記折り畳み部は、前記側部パネルの残部と角度を形成するように構成された第１の折り部パネルと、前記第１の折り部パネルと角度を形成するように構成された第２の折り部パネルと、を備え、前記バッグの開口部近辺の前記側部パネルの一部と前記第１の折り部パネルと前記第２の折り部パネルとによって画定された空間を形成する、複数のバッグを配置することと、
前記複数のバッグを各自含む前記複数のバッグ保護体を箱体内に配置することと、を含む、バッグ搬送方法。
【請求項１９】
前記複数のバッグ保護体を配置することは、前記複数のバッグ保護体のいくつかを、それらの各自の底部パネルを前記箱体の１つの表面に対面させて、前記箱体内に配置し、前記複数のバッグ保護体の残余を、それらの各自の底部パネルを前記箱体の前記１つの表面と対向した前記箱体の別の表面に対面させて、前記箱体内に配置することを含む、請求項１８に記載の方法。
【請求項２０】
前記箱体内に前記複数のバッグ保護体を配置することが、それらの各自の底部パネルが前記箱体の２つの側壁表面に対面するように、それらを配置することを含む、請求項１９に記載の方法。
【請求項２１】
前記箱体内に前記複数のバッグ保護体を配置することが、それらの各自の底部パネルが前記箱体の底部表面に対面するように、それらを配置することを含む、請求項１８に記載の方法。
【請求項２２】
前記箱体内に前記複数のバッグ保護体を配置することが、それらの各自の底部パネルが前記箱体の１つの表面と対面し、それによってその間に各々が略テーパ状の輪郭を有する複数の空間を形成するように、それらを配置することを含む方法であって、前記方法が、前記複数の空間にそれぞれさらなる複数のバッグを配置することをさらに含む、請求項１８に記載の方法。
【発明の詳細な説明】
【背景技術】
【０００１】
インターネットを介してアクセス可能な電子市場は、購入のために利用可能となっている物品または製品のカタログを含んでいる可能性がある。これらの物品は、商業ベースとして提供される可能性がある（例えば、販売または貿易）。一例として、顧客は商人のウェブサイトを訪問するためにウェブブラウザを利用し、カタログから購入するための物品を選択し、その物品の注文を終わらせるための清算手続きを行う可能性がある。商人は、そのような注文を処理するために、様々な施設を含むフルフィルメントネットワークを経営する可能性がある。例えば、商人は、購入された物品の輸送を準備する施設を含める可能性がある。運送業者は商人からそのような運送を申し受け、それぞれの購入顧客に荷物を搬送する可能性がある。
【０００２】
購入された物品または製品は、一般的に箱詰めで輸送される一方で、食料品のようないくつかの物品または製品は、その代わりとして、紙バッグ、プラスチックバッグ、および食料品店から提供されるいわゆる「食料品」トートバッグのようなバッグ詰めで輸送されることが適している可能性がある。特に、多くの環境意識の高い顧客は、再利用可能かつリサイクル可能な材料で製造されたトートバッグの使用を好んでいる。しかしながら、典型的なトートバッグは、輸送中の物品および製品が損傷から保護されることを保証するに十分なほど頑丈ではない。また、トートバッグの形状が、トートバッグを形成するために普通使用されている柔らかい材料と相まって、運送業者にとって、複数のバッグを効率的に大量に取り扱うことを難しくしている。例えば、トートバッグを互いの上部に重ねることは難しく、それゆえ搬送中の輸送コンテナ（例えば、運送トラック）の限られた空間を効率良く利用することが難しい。さらに、トートバッグは、特に壊れやすい物品または製品をその内に含むときに、運送業者による注意深い取扱いをしばしば必要とする。
【図面の簡単な説明】
【０００３】
【図１】１つの箱体および箱体中に収容される複数のバッグ保護体を含む、１つの実施形態によるバッグを搬送するためのシステムの上面斜視図であり、バッグ保護体の１つが、その中に保護的に１つのバッグを収容しているように例証されている。
【図２】第１の実施形態によるバッグ保護体の斜視図である。
【図３】図２のバッグ保護体の設計仕様である。
【図４Ａ】図２のバッグ保護体の正面図である。
【図４Ｂ】図２のバッグ保護体の側面図である。
【図４Ｃ】図２のバッグ保護体の上面図である。
【図４Ｄ】バッグ保護体の略テーパ状の輪郭のその他の事例の側面図である。
【図４Ｅ】バッグ保護体の略テーパ状の輪郭のその他の事例の側面図である。
【図４Ｆ】バッグ保護体の略テーパ状の輪郭のその他の事例の側面図である。
【図４Ｇ】バッグ保護体の略テーパ状の輪郭のその他の事例の側面図である。
【図５】１つの箱体および箱体中に収容される複数のバッグ保護体を含む、もう１つ別の実施形態によるバッグを搬送するためのシステムの斜視図であり、バッグ保護体の１つが、その中に保護的に１つのバッグを収容しているように例証されている。
【図６Ａ】図５に示されている第２の実施形態によるバッグ保護体の正面図である。
【図６Ｂ】図５に示されている第２の実施形態によるバッグ保護体の側面図である。
【図６Ｃ】図５に示されている第２の実施形態によるバッグ保護体の、その中に１つのバッグを含む別の側面図である。
【図７】第２の実施形態によるバッグ保護体の設計仕様である。
【０００４】
【図８】１つの箱体および箱体中に収容された複数のバッグ保護体を含む、さらに別の実施形態によるバッグを搬送するためのシステムの側面断面図であり、バッグ保護体が正立と逆立に交互に配置されている。
【図９】一緒に重なり合された２つの箱体の斜視図であり、各々が本発明の様々な実施形態による複数のバッグ保護体を収容するために適している。
【０００５】
バッグ詰めで製品または物品を輸送するためのシステムおよび方法が、いくつかの実施形態の事例および例証的な図面として、本明細書に記述されているが、当業者は、バッグ詰めで製品または物品を輸送するためのシステムおよび方法が、記述されている実施形態または図面に限定されないことを理解するであろう。図面およびそれについての詳細な記述は、バッグ詰めで物品または製品を輸送するためのシステムおよび方法を開示されている特定の形態に限定するために意図されたものではなく、それとは逆に、意図するところは、添付されている特許請求の範囲で定義されている、バッグ詰め物品または製品を輸送するためのシステムおよび方法の範囲内にある、あらゆる改良品、同等品および代替品を含めることにある。本明細書で使用されている見出しは、構成上の目的に過ぎず、明細書または特許請求の範囲の範囲を制限するために使用されていることが意味されてはいない。この申請書を通じて使用されているとき、「してもよい（ｍａｙ）」という言葉は、強制的な意味（すなわち、しなければならないを意味する）ではなく、許す意味（すなわち、する可能性を持つことを意味する）で使われている。同様に、「含む（ｉｎｃｌｕｄｅ）」、「含む（ｉｎｃｌｕｄｉｎｇ）」、「含む（ｉｎｃｌｕｄｅｓ）」は含むことを意味するが、それに限定されない。
【発明を実施するための形態】
【０００６】
購入された物品および製品を収容するバッグを搬送するためのシステムおよび方法についての様々な実施形態が記述されている。このようなシステムおよび方法は、トートバッグ、紙バッグおよびプラスチックバッグなどの、可撓性材料で製造されたバッグに詰めて購入された物品または製品の輸送の準備をするために使用される可能性がある。いくつかの状況において、物品および製品は電子商取引ポータルサイトを通じて購入される。本発明の様々な実施形態によるバッグ保護体により、購入された物品および製品を収容する複数のバッグを、箱体内に保護的かつ効率的に保管することができる。このように、運送業者は、それらの箱体を容易に大量に取り扱うことができ（例えば、積み重ねる、スライドさせる）、それぞれの箱体が、それぞれの購入顧客にバッグを搬送するために複数のバッグを収容して、その一方で、バッグに収容された物品および製品に対する損傷を最小限にする。
【０００７】
図１は、１つの実施形態によるバッグ搬送のためのシステム１０の上面斜視図である。システム１０は、１つの箱体１２および箱体１２に収容された複数のバッグ保護体１４Ａ〜１４Ｅ（５つは図１に示されている）を含んでいる。バッグ保護体１４Ａの１つが、その中に可撓性材料で製造されたバッグ１８を保護的に収容しているように、例証されている。さらに図２を参照すると、バッグ保護体１４は、様々な物品または製品を収容するバッグ１８の底部を支持するために、サイズ決めされ、かつ構成された底部パネル１６を含んでいる。バッグ保護体１４はまた、底部パネル１６から遠ざかるように底部パネル１６の２つの対向する縁部１６Ａから延在し、バッグ保護体１４の開口側から見られたときに略テーパ状の輪郭を形成するように構成される、２つの側部パネル２０を含んでいる。略テーパ状の輪郭の１つの事例が、図４Ｂ内のバッグ保護体１４の側面図に一番良く示されている。図４Ａおよび図４Ｃは、バッグ保護体１４のそれぞれ、正面図および上面図である。例証されている実施形態において、２つの側部パネル２０は、各々が底部パネル１６とともに鋭角を形成するように構成されている。本明細書で使用されるときには、鋭角とは９０°未満の角度と定義される。略テーパ状の輪郭により、図１に示されているように、２つの側部パネル２０は、バッグ１８の開口部１８Ａ近辺で互いに接触する。
【０００８】
様々な例示的な実施形態に従って、バッグ保護体１４は、その中で可撓性材料で製造されたバッグ１８を保護するために、十分な剛性を有する材料で製造されている。適切な材料の見本としての非限定事例は、ボール紙（段ボール紙）、プラスチック、プラスチック段ボール（コリボード）、段ボール、モールドパルプ（モールドファイバ）、十分な強度を有するように強化された布（例えば、保護コート）、および金属を含んでいる。
【０００９】
図３は、ボール紙材料で適切に形成されたバッグ保護体１４の設計仕様である。図３で、実線はボール紙が切断される線を画定し、点線はボール紙が折り曲げられる線を示している。例えば、ボール紙は、２つの側部パネル２０を画定するために、底部パネル１６の２つの対向する縁部１６Ａに沿って折り曲げられる。
【００１０】
引き続き図３を参照すると、２つの側部パネル２０それぞれは、それらが略テーパ状の輪郭の狭められた端部で接触する、折り畳み部２２を含む。例証されている事例中の折り畳み部２２は、折られたときに、側部パネル２０の残部とともに１つの角度を形成する第１の折り部パネル２６Ａを画定する、第１の折れ線２４Ａを含む。（図４Ｂを参照）。例証されている事例中の折り畳み部２２は、折られたときに、第１の折り部パネル２６Ａとともに１つの角度を形成する第２の折り部パネル２６Ｂを画定する、第２の折れ線２４Ｂをさらに含む。このように、折り曲げ後、空間２８が、図２に示されているように、略テーパ状の輪郭の狭められた端部近くの第２の側部パネル２０の一部分と、第１の折り部パネル２６Ａと、および第２の折り部パネル２６Ｂとによって、画定される。この事例で、折り畳み部２２は、保護体１４の中に受け入れられるバッグ１８の開口部１８Ａを、しっかり束縛するために、側部パネル２０の表面に対して略垂直の方向に弾力性を付加する。例証されている事例は、折り畳み部２２の一方から切り出された挿入部３０をさらに含み、当該挿入部３０は、２つの側部パネル２０の折り曲げ部２２が互いに接触することをさらに保証するために、折り畳み部２２の他方に画定されるスリット３２内に受け入れられるように、サイズ決め、および構成される。例証されている実施形態において、挿入部３０は折れ線３０Ａをさらに含み、それに沿って、図２および図４Ｂで一番良く示されているように、挿入部３０がスリット３２内に配置されるとき、係止機構を形成するために挿入部が折り曲げられる可能性がある。もちろん、これは、互いに接触する折り曲げ部２２の一例であり、本発明の様々な実施形態は、そのような折れ線３０Ａを含むことに限定されない。
【００１１】
例証されている実施形態において、バッグ保護体１４は、側部パネル２０の２つの側縁部２０Ａおよび２０Ｂ近辺に収容提供された、切り欠き部３４Ａおよび３４Ｂをさらに含んでいる。切り欠き部３４Ａおよび３４Ｂは、バッグを中に収容するバッグ保護体１４の取扱いを容易にすることおよびその他の取扱いのための取手として機能する可能性がある。また、切り欠き部３４Ａおよび３４Ｂは、取扱者にとって、バッグがバッグ保護体１４内に収容されているかを目視で確認するための窓として機能する場合がある。
【００１２】
図１に戻って参照すると、箱体１２は、その中に複数のバッグ保護体１４を含むようにサイズ決め、および構成され、それぞれがバッグを保護的に収容している（図１には１つのみのバッグ保護体１４Ａがバッグ１８を収容しているように例証されているが）。１つの実施形態に従い、箱体１２およびバッグ保護体１４は、バッグ保護体のいくつか（図１中の１４Ａ、１４Ｃ、および１４Ｅ）が、それらのそれぞれの底部パネル１６を箱体１２の１つの表面１２Ａに対面させて、箱体１２に含まれるように、一方で、バッグ保護体の残余（図１中の１４Ｂおよび１４Ｄ）が、それらのそれぞれの底部パネル１６を最初の表面１２Ａに対向する箱体１２の別の表面１２Ｂに対面させて、箱体１２に含まれるように、サイズ決め、および構成される。換言すれば、複数のバッグ保護体１４は、箱体１２内の空間を効率的に占有させるために、箱体１２と対抗する方向に対面して交互に配置される。１つの実施形態によるシステム１０の上面図であり図１中の例証されている事例において、箱体１２およびバッグ保護体１４は、バッグ保護体１４が、それらのそれぞれの底部パネル１６を箱体１２の２つの意図された側壁表面３６Ａ（１２Ａ）および３６Ｂ（１２Ｂ）に対面させて、箱体１２中に「横向きに」配置されるように、サイズ決め、および構成される。すなわち、バッグ保護体１４の２つの対向する開口側部それぞれが、箱体１２の意図された上部表面３８および意図された底部表面に対面している。
【００１３】
当業者は、図１の箱体１２が例証の目的のために開口されている意図された上部表面３８を含んでいるが、箱体１２は、複数の箱体１２が別のものの上に重ねられ得るように、開口部を閉鎖するに適当な蓋を含む可能性があることについて、理解するであろう。また、図１の箱体１２がその意図された上部表面３８を通じて開口部を含んでいるが、開口部は、１つ以上のその意図された側壁表面３６Ａ〜３６Ｄを通じて提供される可能性がある。さらにまた、図１の箱体１２が、バッグ保護体１４の２つの対向する開口側部の一方に対面する意図された上部表面３８を含んでいるが、箱体１２は、バッグ保護体１４のいくつかの底部パネル１６に対面する意図された上部表面を含む可能性がある。すなわち、図１が本発明のシステム１０の実施形態の側面斜視図と仮定して、バッグ保護体のいくつか（図１中の１４Ｂおよび１４Ｄ）は、それらのそれぞれの底部パネル１６が箱体の意図された上部表面に対面するために、箱体１２中で「逆立して」配置され、バッグ保護体の残余（図１中の１４Ａ、１４Ｃ、および１４Ｅ）は、それらのそれぞれの底部パネル１６が箱体１２の意図された底部表面と対面するために、箱体１２中で「正立して」配置される可能性がある。
【００１４】
当業者は、略テーパ状の輪郭が上記の図面に例証されているものに限定されず、単に非限定的な例証として、例えば、バッグ保護体の他の事例の側面概略図である図４Ｄ〜図４Ｇに示されている輪郭を含む可能性があることを、理解するであろう。特に、図４Ｇに示されている輪郭は、その自然な状況で図４Ｇに示されているような形状に形成されるために、バッグ保護体が、プラスチック、プラスチック段ボールおよび金属のような弾性材料で形成されるときに、有利となる可能性がある。次に、使用者は、バッグ保護体の上部３７Ａおよび３７Ｂを分離させて、それを通じてバッグを挿入するための開口部を作る可能性がある。バッグ保護体の材料の弾力性により、一旦バッグが内部に配置され、かつ使用者がもはや力を加えなくても、上部３７Ａおよび３７Ｂが、図４Ｇに示されているように、互いに接触するために、最初の位置に自動的に戻る。この構成は、バッグ保護体からバッグを容易に出し入れする上で有利となる可能性がある。
【００１５】
図５は、箱体１２および複数のバッグ保護体４０Ａ〜４０Ｄを含む、本発明によるバッグ搬送のためのシステム１０Ａのさらなる代わりの実施形態の斜視図である。バッグ保護体の１つ、４０Ｂがその中にバッグ１８を収容して例証されている。図６Ａ〜図６Ｃは、本実施形態によるバッグ保護体４０のそれぞれその中にバッグ１８を含んだ正面図、側面図、および別の側面図である。上記図２に示されている実施形態に関して、バッグ保護体４０は、可撓性材料で製造されたバッグ１８の底部を支持するように、サイズ決め、および構成された底部パネル１６を含んでいる。バッグ保護体４０は、図６Ｃに一番良く示されているように、底部パネル１６から遠ざかるように底部パネル１６の２つの対向する縁部１６Ａから延在し、バッグ１８の開口部１８Ａ近辺で互いに接触するように、略テーパ状の輪郭を形成するように構成された２つの側部パネル２０をさらに含んでいる。また前述のように、バッグ保護体４０は、その中の柔軟なバッグ１８の内容物を保護するために、例えば、ボール紙、プラスチック、強化布及び金蔵材料のような十分な剛性を有する材料で、適切に形成される。
【００１６】
図７は、ボール紙材料で適切に形成される可能性のある、図５および図６Ａ〜図６Ｃに示されているバッグ保護体４０の設計仕様である。図６で、実線はボール紙が切断される線を画定し、点線はボール紙が折り曲げられる線を示している。例えば、ボール紙は、２つの側部パネル２０を画定するために、底部パネル１６の２つの対向する縁部１６Ａに沿って折り曲げられる。
【００１７】
引き続き図７を参照すると、２つの側部パネル２０それぞれが、それらが略テーパ状の輪郭の狭まった端部で接触する折り畳み部２２Ａを含んでいる。例証されている事例中の折り畳み部２２Ａは、図６Ｂに一番良く示されているように、折り曲げられたときに、側部パネル２０の残部とともに１つの角度を形成する平坦パネル部４２を画定する、折れ線２４Ｃを含んでいる。側部パネル２０の折り畳み部２２Ａは、図６Ｃに示されているように、保護体４０中に受け入れられるバッグ１８の開口部１８Ａをしっかりと束縛するように構成される。
【００１８】
例証されている実施形態において、バッグ保護体４０は、２つの側部パネル２０の折り畳み部２２Ａ中でそれぞれ画定された切り欠き部３４Ｃをさらに含んでいる。前述のとおり、切り欠き部３４Ｃは、バッグ保護体４０の容易な取り扱いおよびその他の取扱いのための取手として機能する可能性がある。
【００１９】
バッグ保護体４０の折り畳み部２２Ａの例証されている実施形態は、図６Ａに一番良く示されているように、側部パネル２０の２つの側縁部２０Ａおよび２０Ｂの両方を越えて水平方向に延在する１組の突起部４４をさらに含んでいる。さらに図５を参照すると、これらの突起部４４は、箱体１２の２つの対向する開口縁部４８Ａおよび４８Ｂに沿ったまたは近辺で画定された、対応する凹部４６内に受け入れられるように構成される。図５において、５組の凹部４６が、開口縁部４８Ａおよび４８Ｂに沿って画定され、それぞれが箱体１２中の５つのバッグ保護体４０を固定するために５組の突起部４４を受け入れる。（中間の１組の凹部４６は、１組の突起部４４を受け入れているようには示されていない。） 
【００２０】
１組の突起部４４および対応する１組の凹部４６の組合せは、箱体１２中のバッグ保護体４０を固定するための係止手段４８の１つの事例である。当業者は、図５中に例証されている係止手段４８が、箱体１２中のバッグ保護体４０を固定するための機構の一例に過ぎず、バッグ保護体４０は、様々な代替え係止手段を使って箱体１２に固定される可能性があることを、理解するであろう。例えば、図５中の凹部４６が箱体１２の内部の側壁部に画定されているが、凹部４６は箱体１２の外部の側壁部に画定される可能性があり、様々な代替の構成を取り入れる可能性がある。また、バッグ保護体４０上に提供されている突起部４４は、鉤手形状のような、様々な代替構成を取り入れる可能性がる。さらにまた、係止手段は、バッグ保護体上に提供された１つの突起部と箱体中に提供された１つの対応する凹部の組合せに限定されず、係止手段は、例えば、箱体１２上に提供された１つの突起部およびバッグ保護体４０に形成された１つの凹部で形成されてもよい。さらにまた、磁石、バネ、その他などの、箱体内で少なくともバッグ保護体の一部を固定できるあらゆる手段が、係止手段として使用される可能性があり、それらは本発明の範囲内にある。
【００２１】
引き続き図５を参照すると、係止手段４８を使って、複数のバッグ保護体４０が箱体１２に固定されるとき、バッグ保護体４０は、箱体１２の１つの表面と対面する、それらのそれぞれの底部パネル１６を有する（例証されている事例中の箱体１２の底部表面）。箱体１２およびバッグ保護体４０は、今回は、底部パネル１６が箱体１２の底部表面と接触しないように、サイズ決め、および構成される可能性があり、すなわち、バッグ保護体４０は、箱体１２内で吊り下げられるように、サイズ決め、および構成される可能性がある。これは、特に底面から箱体１２に掛かる打撃または衝撃からバッグ保護体４０内の内容物を保護する上で、有利となる可能性がある。それとは別に、箱体１２およびバッグ保護体４０は、各バッグ保護体４０の底部パネル１６が、バッグ保護体４０が箱体１２内に配置されるときに、箱体１２の底部表面と接触するように、サイズ決め、および構成される可能性がある。
【００２２】
複数のバッグ保護体４０の各々が、底面パネル１６近辺の１つの端部から別の１つの端部にかけて狭められた、略テーパ状の輪郭を有するため、それらは共にその間の複数の空間５０を画定する。これら空間５０もまた、各バッグ保護体４０の底部パネル１６近辺で１つの端部から別の１つの端部にかけて狭められた、略テーパ状の輪郭を有する。１つの実施形態では、様々な物品または製品を収容するさらなる１組のバッグが、箱体１２内の空間を効率的に使用するために、それぞれ、これらの空間５０中に配置される可能性がある。１つの実施形態では、これらのさらなる複数組のバッグが、初めにバッグ保護体に収容されることなく、空間５０に直接的に配置される可能性がある。この場合、空間５０に直接的に配置されるバッグの開口部１８Ａは、その中に内容物を保管するために、折り曲げられる可能性がある。
【００２３】
別の実施形態では、図８に示されているように、これらさらなる複数組のバッグが、初めに別の１組のバッグ保護体（５２Ａ〜５２Ｄ）に収容され、これらのバッグ保護体５２Ａ〜５２Ａが最初の組のバッグ保護体４０Ａ〜４０Ｅの間に交互に配置される。箱体１２内で受け入れられるバッグ保護体５２Ａ〜５２Ｄに関して、バッグ保護体５２Ａ〜５２Ｄは、好ましくは、それらの２つの側縁部を越えて水平に延在する突起部４４（図７参照）を含まない。図８は、本実施形態によるシステム１０Ｂの側面断面図である。このように、例証されている事例において、バッグ保護体５２Ａ〜５２Ａの最初の組が、それらのそれぞれの底部パネル１６が箱体１２の意図された底部表面に対面するように、箱体１２中で「正立して」配置され、バッグ保護体のさらなる組５２Ａ〜５２Ｄが、箱体１２中で「逆立して」配置される。もちろん、バッグ保護体に対する箱体１２の方向はそのように限定されていない。特に、図８が本発明のシステム１０Ｂの実施形態の上面図であると仮定すれば、バッグ保護体のいくつか（４０Ａ〜４０Ｅ）は、それらのそれぞれの底部パネル１６が箱体の２つの対向する意図された側壁表面の一方に対面するように、「横向きに」配置されてもよく、その他のバッグ保護体（５２Ａ〜５２Ｄ）もまた、それらのそれぞれの底部パネル１６を、箱体１２の対向する意図された側壁表面に対面させるように、箱体１２中の「横向きに」配置される。さらにまた、箱体１２が、図５中に開放されたその意図された上部表面を有して例証されているが、箱体１２の積み重ねおよびその他の取扱いを促すために、適当な蓋が、開口部を閉鎖するために提供されてもよい。さらにまた、図５中に、開口部が、箱体の意図された上部表面を通じて提供されて、例証されているが、開口部は、その代わりに箱体１２の１つ以上の意図された側壁表面を通じて、提供されてもよい。
【００２４】
図９は、２つの箱体１２が積み重ね合わされた斜視図である。これらの箱体１２の各々が、本発明の様々な実施形態に従った複数のバッグ保護体を収容するように、サイズ決め、および構成されるに適している。容易な積み重ねを促すために、各箱体１２は、その意図された底部表面５６上に画定された１つ以上のへこみ部５４、およびその意図された上部表面５８上に画定された１つ以上の突起部５６を含む可能性がある。これらの箱体１２は、１つの箱体１２の突起部（複数可）５６を上述の別の箱体１２の対応するへこみ部に嵌め合わせることで、互いの上面上に容易に積み重ねられ得る。
【００２５】
図１および図３の箱体１２およびバッグ保護体１４を含め、バッグ搬送システムを構成するために使用可能で、純粋に１組の非限定の例示的な寸法として、次の寸法が採用される可能性がある：図３中で、Ａ＝３７０ｍｍ、Ｂ＝１２９１ｍｍ、Ｃ＝８０ｍｍ、Ｄ＝４５３ｍｍ、Ｅ＝２０５ｍｍ、Ｅ２＝１００ｍｍ、Ｆ＝３０ｍｍ、Ｇ＝５２ｍｍ、Ｈ＝５ｍｍ、Ｉ＝６０ｍｍ、Ｊ＝５０ｍｍ、Ｋ＝２７ｍｍ、Ｌ＝１００ｍｍ、Ｍ＝１００ｍｍおよびＮ＝８０ｍｍ；図１中で、Ｏ＝８１５ｍｍ、Ｐ＝４３７ｍｍ、およびＯおよびＰに垂直な箱体１２の内寸＝３８０ｍｍ。図６に示される第２の実施形態のバッグ保護体４０に使用可能で、さらに純粋に１組の非限定の例示的な寸法として、次の寸法が採用される可能性がある：Ｒ＝８０ｍｍ、Ｓ＝２７０ｍｍ、Ｔ＝１２０ｍｍ、Ｕ＝２４０ｍｍ、Ｖ＝２５４ｍｍ、Ｗ＝７ｍｍおよびＸ＝３０ｍｍ。当業者は、箱体の２つの対向する開口縁部に沿って提供される可能性のある、あらゆる凹部４６の寸法および間隔を含む、複数のバッグ保護体４０を収容するための箱体の適切な寸法を、容易に分かるであろう。
【００２６】
本発明のさらなる実施形態に従って、１つの箱体および複数のバッグ保護体の組合せを使用して、バッグを搬送するために１つの方法が提供され、その様々な実施形態が上記に記述されてきた。この方法は、可撓性材料で製造された複数のバッグ１８を複数のバッグ収容器１４、４０中に各自配置することを含んでいる。この方法は、複数のバッグを各自が含む複数のバッグ保護体を箱体１２中に配置することを含んでいる。上述のとおり、複数のバッグ保護体は、複数のバッグ保護体のいくつかが、それらのそれぞれの底部パネル１６を、箱体の１つの表面に対面させ、当該複数のバッグ保護体の残余が、それらのそれぞれの底部パネル１６を、箱体の最初の表面と対向する箱体の別の１つの表面に対面させるように、配置される可能性がある。（例えば、図１を参照。） 
【００２７】
様々な例示的な実施形態に従って、複数のバッグ保護体が、それらの様々な底部パネル１６が箱体１２の２つの意図された側壁表面と対面するように、箱体中に設置される可能性がある。（例えば、図１を参照。）さらに例示的な実施形態に従って、複数のバッグ保護体が、それらのそれぞれの底部パネル１６が箱体の意図された底部表面と対面するように、箱体１２中に設置される可能性がある。（例えば、図５を参照。）さらにまた、実施形態に従って、複数のバッグ保護体が、それらのそれぞれの底部パネル１６が箱体１２の１つの表面と対面し、それによってそれぞれがその間に略テーパ輪郭を有する複数の間隔５０を形成するように、箱体１２中に設置される可能性がある。この方法は、さらにまた、複数の間隔５０中に、それぞれさらなる複数のバッグ１８を配置することを含む。
【００２８】
前述から、例証の目的で、特定の実施形態がここに記述されてきたが、本発明の精神および範囲から外れることなく、様々な改良がなされる可能性があることが理解されるであろう。したがって、本発明は、付記されている請求項およびその中で引用されている要素による場合を除き、限定されない。
【図１】
0005948430.tif 000002
【図２】
0005948430.tif 000003
【図３】
0005948430.tif 000004
【図４Ａ】
0005948430.tif 000005
【図４Ｂ】
0005948430.tif 000006
【図４Ｃ】
0005948430.tif 000007
【図４Ｄ】
0005948430.tif 000008
【図４Ｅ】
0005948430.tif 000009
【図４Ｆ】
0005948430.tif 000010
【図４Ｇ】
0005948430.tif 000011
【図５】
0005948430.tif 000012
【図６Ａ】
0005948430.tif 000013
【図６Ｂ】
0005948430.tif 000014
【図６Ｃ】
0005948430.tif 000015
【図７】
0005948430.tif 000016
【図８】
0005948430.tif 000017
【図９】
0005948430.tif 000018